(57)【要約】      （修正有）【課題】荷物の量や内容によって種々のサイズ、容量や形状のバッグを任意に組み合わせて用いることができると共に、その取り付け状態を確実に保持することのできるバッグ組体を提供する。【解決手段】内部に第１の荷物を収容し、上面に第１の荷物が出し入れされる開口が形成され、底面が閉塞されたバッグ本体１６と、バッグ本体１６と別々に設けられ、内部に第２の荷物を収容する第１の付属バッグ１８と、バッグ本体１６に第１の付属バッグ１８を着脱可能に取り付ける第１の取り付け手段２０とを具備する。第１の取り付け手段２０は、バッグ本体１６の外周を規定する外周面２２ａ，ｂの少なくとも一面に配設され、周方向に沿って延出し、所定のピッチで外周面２２ａ，ｂに固定され、固定される部分以外は、少なくとも１本の帯状の第１の取り付け部材２６と、第１の付属バッグ１８の外周を規定する外周面の少なくとも一面に配設される。【選択図】図１
0003189497.tif 000002
【実用新案登録請求の範囲】
【請求項１】
内部に第１の荷物を収容し、上面に該第１の荷物が出し入れされる開口が形成され、底面が閉塞されたバッグ本体と、
前記バッグ本体と別々に設けられ、内部に第２の荷物を収容する第１の付属バッグと、
前記バッグ本体に前記第１の付属バッグを着脱可能に取り付ける第１の取り付け手段とを具備し、
該第１の取り付け手段は、
前記バッグ本体の外周を規定する外周面の少なくとも一面に配設され、周方向に沿って延出し、所定のピッチで該外周面に固定され、固定される部分以外は、該外周面から離間している複数の離間部として規定される、少なくとも１本の帯状の第１の取り付け部材と、
前記第１の付属バッグの外周を規定する外周面の少なくとも一面に配設され、周方向に沿って前記所定ピッチと同一のピッチで複数固定され、前記第１の取り付け部材の前記離間部に夫々係脱可能な複数の第２の取り付け部材とを備え、
前記第１の付属バッグは、前記第１の取り付け部材に前記第２の取り付け部材が係止される状態で、前記バッグ本体に取り付けられ、前記第１の取り付け部材への前記第２の取り付け部材の係止が解除される状態で、前記バッグ本体から取り外される事を特徴とするバッグ組体。
【請求項２】
前記第１の取り付け部材は、上下に離間して複数本配設され、
前記第２の取り付け部材は、該第１の取り付け部材の配設状態に対応して、複数段配設されている事を特徴とする請求項１に記載のバッグ組体。
【請求項３】
前記第１の取り付け部材は、前記バッグ本体の外周面に配設され、
前記第２の取り付け部材は、前記第１の付属バッグの外周面に配設されている事を特徴とする請求項１又は２に記載のバッグ組体。
【請求項４】
前記第１の取り付け部材は、前記バッグ本体の外周面に、周方向に沿って全周に渡り延出する状態で配設されている事を特徴とする請求項３に記載のバッグ組体。
【請求項５】
前記第２の取り付け部材は、前記第１の付属バッグの外周面の、前記バッグ本体に対向する一面に配設されている事を特徴とする請求項３又は４に記載のバッグ組体。
【請求項６】
前記第２の取り付け部材は、帯状に形成され、各々、中間部において前記第１の付属バッグの外周面に固定され、両端部は、何れか一方が、対応する離間部と外周面との間を潜り抜けた状態で、他方に係脱可能に接合され、
該接合された状態で、前記第２の取り付け部材は前記第１の取り付け部材に係止されて前記第１の付属バッグは前記バッグ本体に取り付けられる事を特徴とする請求項前記何れか１項に記載のバッグ組体。
【請求項７】
前記第２の取り付け部材の両端は、スナップ結合により係脱自在に連結されている事を特徴とする請求項６に記載のバッグ組体
【請求項８】
前記第２の取り付け部材の両端は、マジックテープ結合により係脱自在に連結されている事を特徴とする請求項６に記載のバッグ組体。
【請求項９】
前記第１の付属バッグと別々に設けられ、内部に第３の荷物を収容する第２の付属バッグと、
前記バッグ本体に前記第２の付属バッグを着脱可能に取り付ける第２の取り付け手段とを更に具備する事を特徴とする請求項前記何れか１項に記載のバッグ組体。
【請求項１０】
該第２の取り付け手段は、前記第２の付属バッグの外周を規定する外周面の少なくとも一面に配設され、周方向に沿って前記所定ピッチと同一のピッチで複数固定され、前記第１の取り付け手段の第１の取り付け部材の前記離間部に夫々係脱可能な複数の第３の取り付け部材を備え、
前記第２の付属バッグは、前記第１の取り付け部材に前記第３の取り付け部材が係止される状態で、前記バッグ本体に取り付けられ、前記第１の取り付け部材への前記第３の取り付け部材の係止が解除される状態で、前記バッグ本体から取り外される事を特徴とする請求項９に記載のバッグ組体。
【請求項１１】
前記第３の取り付け部材は、該第１の取り付け部材の配設状態に対応して、複数段配設されている事を特徴とする請求項１０に記載のバッグ組体。
【請求項１２】
前記第３の取り付け部材は、前記第２の付属バッグの外周面の、前記バッグ本体に対向する一面に配設されている事を特徴とする請求項１０又は１１に記載のバッグ組体。
【請求項１３】
前記第３の取り付け部材は、帯状に形成され、各々、中間部において前記第２の付属バッグの外周面に固定され、両端部は、何れか一方が、対応する離間部と外周面との間を潜り抜けた状態で、他方に着脱可能に接合される事を特徴とする請求項１０乃至１２の何れか１項に記載のバッグ組体。
【請求項１４】
前記第３の取り付け部材の両端は、スナップ結合により係脱自在に連結されている事を特徴とする請求項１３に記載のバッグ組体
【請求項１５】
前記第３の取り付け部材の両端は、マジックテープ結合により係脱自在に連結されている事を特徴とする請求項１３に記載のバッグ組体。
【請求項１６】
前記バッグ本体には、これの上面開口を閉塞する状態で、内部に第４の荷物を収容する第３の付属バッグが着脱可能に取り付けられることを特徴とする請求項前記何れか１項に記載のバッグ組体。
【請求項１７】
前記第３の付属バッグは、第１の線ファスナにより、前記バッグ本体の開口上面に着脱可能に取り付けられることを特徴とする請求項１６に記載のバッグ組体。
【請求項１８】
前記第１の線ファスナは、前記バッグ本体の上部開口の全周に渡って取り付けられた第１の務歯と、前記第３の付属バッグの底面の全周に渡って取り付けられた第２の務歯と、該第１及び第２の務歯に共通に掛かって取り付けられた第１のスライダとを備え、
該第１のスライダを一方向に沿って移動させることにより、前記第１及び第２の務歯は互いに噛み合って前記バッグ本体と第３の付属バッグとを一体的に連結し、
前記第１のスライダを前記一方向とは反対の他方向に沿って移動させることにより、前記第１及び第２の務歯の互いの噛み合いを解除して前記バッグ本体と第３の付属バッグとの連結を解除し、前記第１及び第２の務歯との噛み合いが全て外れる状態で、前記第３の付属バッグは前記バッグ本体から取り外されることを特徴とする請求項１７に記載のバッグ本体。
【請求項１９】
前記第３の付属バッグは、上面が閉塞された状態で構成されている事を特徴とする請求項１８に記載のバッグ組体。
【請求項２０】
前記第３の付属バッグは、上面が開放された状態で構成されている事を特徴とする請求項１８に記載のバッグ組体。
【請求項２１】
前記第３の付属バッグには、これの上面開口を閉塞する状態で、蓋部材が着脱可能に取り付けられることを特徴とする請求項２０に記載のバッグ組体。
【請求項２２】
前記蓋部材は、第２の線ファスナにより、前記第３の付属バッグの上面開口に着脱可能に取り付けられることを特徴とする請求項２１に記載のバッグ組体。
【請求項２３】
前記第２の線ファスナは、前記第３の付属バッグの上面開口の全周に渡って取り付けられた第３の務歯と、前記蓋部材の底面の全周に渡って取り付けられた第４の務歯と、該第３及び第４の務歯に共通に掛かって取り付けられた第２のスライダとを備え、
該第２のスライダを一方向に沿って移動させることにより、前記第３及び第４の務歯は互いに噛み合って前記蓋部材と第３の付属バッグとを一体的に連結し、
前記第２のスライダを前記一方向とは反対の他方向に沿って移動させることにより、前記第３及び第４の務歯の互いの噛み合いを解除して、前記蓋部材と第３の付属バッグとの連結を解除し、前記第３及び第４の務歯との噛み合いが全て外れる状態で、前記蓋部材は前記第３の付属バッグから取り外されることを特徴とする請求項２２に記載のバッグ本体。
【請求項２４】
前記蓋部材は、前記バッグ本体の上面開口を閉塞可能に取り付けられることを特徴とする請求項２３に記載のバッグ組体。
【請求項２５】
前記蓋部材の前記第４の務歯と、前記バッグ本体の前記第１の務歯とは、第１又は第２のスライダにより、互いに噛み合い可能に構成されている事を特徴とする請求項２４に記載のバッグ組体。
【請求項２６】
前記バッグ本体には、これの底面に連設される状態で、内部に第５の荷物が収容される第４の付属バッグが着脱可能に取り付けられることを特徴とする請求項前記何れか１項に記載のバッグ組体。
【請求項２７】
前記第４の付属バッグは、第３の線ファスナにより、前記バッグ本体の底面に着脱可能に取り付けられることを特徴とする請求項２６に記載のバッグ組体。
【請求項２８】
前記第３の線ファスナは、前記バッグ本体の底面の全周に渡って取り付けられた第５の務歯と、前記第４の付属バッグの上面の全周に渡って取り付けられた第６の務歯と、該第５及び第６の務歯に共通に掛かって取り付けられた第３のスライダとを備え、
該第３のスライダを一方向に沿って移動させることにより、前記第５及び第６の務歯は互いに噛み合って前記バッグ本体と第４の付属バッグとを一体的に連結し、
前記第３のスライダを前記一方向とは反対の他方向に沿って移動させることにより、前記第５及び第６の務歯の互いの噛み合いを解除して前記バッグ本体と第４の付属バッグとの連結を解除し、前記第５及び第６の務歯との噛み合いが全て外れる状態で、前記第４の付属バッグは前記バッグ本体から取り外されることを特徴とする請求項２７に記載のバッグ本体。
【請求項２９】
前記第４の付属バッグには、これの底面に連接する状態で、底部材が着脱可能に取り付けられることを特徴とする請求項２８に記載のバッグ組体。
【請求項３０】
前記底部材は、第４の線ファスナにより、前記第４の付属バッグの底面に着脱可能に取り付けられることを特徴とする請求項２９に記載のバッグ組体。
【請求項３１】
前記第４の線ファスナは、前記第４の付属バッグの底面の全周に渡って取り付けられた第７の務歯と、前記底部材の上面の全周に渡って取り付けられた第８の務歯と、該第７及び第８の務歯に共通に掛かって取り付けられた第４のスライダとを備え、
該第４のスライダを一方向に沿って移動させることにより、前記第７及び第８の務歯は互いに噛み合って前記底部材と第４の付属バッグとを一体的に連結し、
前記第４のスライダを前記一方向とは反対の他方向に沿って移動させることにより、前記第７及び第８の務歯の互いの噛み合いを解除して、前記底部材と第４の付属バッグとの連結を解除し、前記第７及び第８の務歯との噛み合いが全て外れる状態で、前記底部材は前記第４の付属バッグから取り外されることを特徴とする請求項３０に記載のバッグ本体。
【請求項３２】
前記底部材は、前記バッグ本体の底面に連接する状態で取り付けられることを特徴とする請求項３１に記載のバッグ組体。
【請求項３３】
前記底部材の前記第８の務歯と、前記バッグ本体の前記第５の務歯とは、第３又は第４のスライダにより、互いに噛み合い可能に構成されている事を特徴とする請求項３２に記載のバッグ組体。
【請求項３４】
前記底部材の底面は、フラットに形成されている事を特徴とする請求項前記２９乃至３３の何れか１項に記載のバッグ組体。
【請求項３５】
前記底部材の底面には、該底部材の移動を容易とする複数のキャスタが更に取り付けられている事を特徴とする請求項３５に記載のバッグ組体。
【考案の詳細な説明】
【技術分野】
【０００１】  この考案は、荷物を効率的に収納するためのバッグ組体であって、荷物の量や内容によって種々のサイズ、容量や形状のバッグを組み合わせて用いることのできるバッグ組体に関するものである。
【背景技術】
【０００２】  従来より、荷物を収容するバッグの形態として、マルチ・ウェイ（多態様）式や、マルチ・ファンクション（多機能）式等が知られ、広く流通に供されている。【０００３】  マルチ・ウェイ（多態様）式のバッグとして、例えば特許文献１には、背中で担げるリュックサック態様と、手や腕で持ち運ぶ手持ち態様と、路面を引いて運べるキャリー態様とを、任意に選択できるように構成されたバッグが開示されている。【０００４】  また、マルチ・ファンクション（多機能）式のバッグとして、例えば特許文献２では、荷物の収納量や種類、収容目的等に応じて、メインのバッグに、マジックテープや結束バンド等を介して補助バッグを着脱自在に取り付ける形態のバッグが提案されている。
【先行技術文献】
【特許文献】
【０００５】
【特許文献１】  特開２００９−２８５４３３号公報
【０００６】
【特許文献２】  特開２０１３−９４５３１号公報
【考案の概要】
【考案が解決しようとする課題】
【０００７】  しかしながら、上述した特許文献１に記載のバッグでは、バッグの持ち運び方を任意に選択でき、それなりの使い勝手の良いものであるものの、荷物の収容量を増やしたいとか、携帯電話等の小さい電子機器を簡単に取り出し可能に収容したいとか、荷物の量や形状等に適宜応じた形態とすることはできないものであった。【０００８】  また、上述した特許文献２の記載のバッグでは、バッグに収容する荷物の量を増やしたい場合に、メインのバッグの上側に、結束バンド等を用いて、補助バッグを取り外し自在に取り付けるものであるため、荷物の量を大幅に増やしたい場合には好適するものの、取り付け時のバランスが悪いと、補助バッグがメインのバッグから滑り落ちる等の問題も指摘されている。
【課題を解決するための手段】
【０００９】  この考案の目的は、上述した事情に鑑みなされたもので、この考案の主たる目的は、荷物の量や内容によって種々のサイズ、容量や形状のバッグを任意に組み合わせて用いることのできると共に、その取り付け状態を確実に保持することのできるバッグ組体を提供することである。【００１０】  上述した課題を解決し、目的を達成するため、この考案に係わるバッグ組体は、請求項１の記載によれば、内部に第１の荷物を収容し、上面に該第１の荷物が出し入れされる開口が形成され、底面が閉塞されたバッグ本体と、前記バッグ本体と別々に設けられ、内部に第２の荷物を収容する第１の付属バッグと、前記バッグ本体に前記第１の付属バッグを着脱可能に取り付ける第１の取り付け手段とを具備し、該第１の取り付け手段は、前記バッグ本体の外周を規定する外周面の少なくとも一面に配設され、周方向に沿って延出し、所定のピッチで該外周面に固定され、固定される部分以外は、該外周面から離間している複数の離間部として規定される、少なくとも１本の帯状の第１の取り付け部材と、前記第１の付属バッグの外周を規定する外周面の少なくとも一面に配設され、周方向に沿って前記所定ピッチと同一のピッチで複数固定され、前記第１の取り付け部材の前記離間部に夫々係脱可能な複数の第２の取り付け部材とを備え、前記第１の付属バッグは、前記第１の取り付け部材に前記第２の取り付け部材が係止される状態で、前記バッグ本体に取り付けられ、前記第１の取り付け部材から前記第２の取り付け部材の係止が解除される状態で、前記バッグ本体から取り外される事を特徴としている。【００１１】  また、この考案に係わるバッグ組体は、請求項２の記載によれば、前記第１の取り付け部材は、上下に離間して複数本配設され、前記第２の取り付け部材は、該第１の取り付け部材の配設状態に対応して、複数段配設されている事を特徴としている。【００１２】  また、この考案に係わるバッグ組体は、請求項３の記載によれば、前記第１の取り付け部材は、前記バッグ本体の外周面に配設され、前記第２の取り付け部材は、前記第１の付属バッグの外周面に配設されている事を特徴としている。【００１３】  また、この考案に係わるバッグ組体は、請求項４の記載によれば、前記第１の取り付け部材は、前記バッグ本体の外周面に、周方向に沿って全周に渡り延出する状態で配設されている事を特徴としている。【００１４】  また、この考案に係わるバッグ組体は、請求項５の記載によれば、前記第２の取り付け部材は、前記第１の付属バッグの外周面の、前記バッグ本体に対向する一面に配設されている事を特徴としている。【００１５】  また、この考案に係わるバッグ組体は、請求項６の記載によれば、前記第２の取り付け部材は、帯状に形成され、各々、中間部において前記第１の付属バッグの外周面に固定され、両端部は、何れか一方が、対応する離間部と外周面との間を潜り抜けた状態で、他方に係脱可能に接合され、該接合された状態で、前記第２の取り付け部材は前記第１の取り付け部材に係止されて前記第１の付属バッグは前記バッグ本体に取り付けられる事を特徴としている。【００１６】  また、この考案に係わるバッグ組体は、請求項７の記載によれば、前記第２の取��付け部材の両端は、スナップ結合により係脱自在に連結されている事を特徴としている。【００１７】  また、この考案に係わるバッグ組体は、請求項８の記載によれば、前記第２の取り付け部材の両端は、マジックテープ結合により係脱自在に連結されている事を特徴としている。【００１８】  また、この考案に係わるバッグ組体は、請求項９の記載によれば、前記第１の付属バッグと別々に設けられ、内部に第３の荷物を収容する第２の付属バッグと、前記バッグ本体に前記第２の付属バッグを着脱可能に取り付ける第２の取り付け手段とを更に具備する事を特徴としている。【００１９】  また、この考案に係わるバッグ組体は、請求項１０の記載によれば、該第２の取り付け手段は、前記第２の付属バッグの外周を規定する外周面の少なくとも一面に配設され、周方向に沿って前記所定ピッチと同一のピッチで複数固定され、前記第１の取り付け手段の第１の取り付け部材の前記離間部に夫々係脱可能な複数の第３の取り付け部材を備え、前記第２の付属バッグは、前記第１の取り付け部材に前記第３の取り付け部材が係止される状態で、前記バッグ本体に取り付けられ、前記第１の取り付け部材への前記第３の取り付け部材の係止が解除される状態で、前記バッグ本体から取り外される事を特徴としている。【００２０】  また、この考案に係わるバッグ組体は、請求項１１の記載によれば、前記第３の取り付け部材は、該第１の取り付け部材の配設状態に対応して、複数段配設されている事を特徴としている。【００２１】  また、この考案に係わるバッグ組体は、請求項１２の記載によれば、前記第３の取り付け部材は、前記第２の付属バッグの外周面の、前記バッグ本体に対向する一面に配設されている事を特徴としている。【００２２】  また、この考案に係わるバッグ組体は、請求項１３の記載によれば、前記第３の取り付け部材は、帯状に形成され、各々、中間部において前記第２の付属バッグの外周面に固定され、両端部は、何れか一方が、対応する離間部と外周面との間を潜り抜けた状態で、他方に着脱可能に接合される事を特徴としている。【００２３】  また、この考案に係わるバッグ組体は、請求項１４の記載によれば、前記第３の取り付け部材の両端は、スナップ結合により係脱自在に連結されている事を特徴としている。【００２４】  また、この考案に係わるバッグ組体は、請求項１５の記載によれば、前記第３の取り付け部材の両端は、マジックテープ結合により係脱自在に連結されている事を特徴としている。【００２５】  また、この考案に係わるバッグ組体は、請求項１６の記載によれば、前記バッグ本体には、これの上面開口を閉塞する状態で、内部に第４の荷物を収容する第３の付属バッグが着脱可能に取り付けられることを特徴としている。【００２６】  また、この考案に係わるバッグ組体は、請求項１７の記載によれば、前記第３の付属バッグは、第１の線ファスナにより、前記バッグ本体の開口上面に着脱可能に取り付けられることを特徴としている。【００２７】  また、この考案に係わるバッグ組体は、請求項１８の記載によれば、前記第１の線ファスナは、前記バッグ本体の上部開口の全周に渡って取り付けられた第１の務歯と、前記第３の付属バッグの底面の全周に���って取り付けられた第２の務歯と、該第１及び第２の務歯に共通に掛かって取り付けられた第１のスライダとを備え、該第１のスライダを一方向に沿って移動させることにより、前記第１及び第２の務歯は互いに噛み合って前記バッグ本体と第３の付属バッグとを一体的に連結し、前記第１のスライダを前記一方向とは反対の他方向に沿って移動させることにより、前記第１及び第２の務歯の互いの噛み合いを解除して前記バッグ本体と第３の付属バッグとの連結を解除し、前記第１及び第２の務歯との噛み合いが全て外れる状態で、前記第３の付属バッグは前記バッグ本体から取り外されることを特徴としている。【００２８】  また、この考案に係わるバッグ組体は、請求項１９の記載によれば、前記第３の付属バッグは、上面が閉塞された状態で構成されている事を特徴としている。【００２９】  また、この考案に係わるバッグ組体は、請求項２０の記載によれば、前記第３の付属バッグは、上面が開放された状態で構成されている事を特徴としている。【００３０】  また、この考案に係わるバッグ組体は、請求項２１の記載によれば、前記第３の付属バッグには、これの上面開口を閉塞する状態で、蓋部材が着脱可能に取り付けられることを特徴としている。【００３１】  また、この考案に係わるバッグ組体は、請求項２２の記載によれば、前記蓋部材は、第２の線ファスナにより、前記第３の付属バッグの上面開口に着脱可能に取り付けられることを特徴としている。【００３２】  また、この考案に係わるバッグ組体は、請求項２３の記載によれば、前記第２の線ファスナは、前記第３の付属バッグの上面開口の全周に渡って取り付けられた第３の務歯と、前記蓋部材の底面の全周に渡って取り付けられた第４の務歯と、該第３及び第４の務歯に共通に掛かって取り付けられた第２のスライダとを備え、該第２のスライダを一方向に沿って移動させることにより、前記第３及び第４の務歯は互いに噛み合って前記蓋部材と第３の付属バッグとを一体的に連結し、前記第２のスライダを前記一方向とは反対の他方向に沿って移動させることにより、前記第３及び第４の務歯の互いの噛み合いを解除して、前記蓋部材と第３の付属バッグとの連結を解除し、前記第３及び第４の務歯との噛み合いが全て外れる状態で、前記蓋部材は前記第３の付属バッグから取り外されることを特徴としている。【００３３】  また、この考案に係わるバッグ組体は、請求項２４の記載によれば、前記蓋部材は、前記バッグ本体の上面開口を閉塞可能に取り付けられることを特徴としている。【００３４】  また、この考案に係わるバッグ組体は、請求項２５の記載によれば、前記蓋部材の前記第４の務歯と、前記バッグ本体の前記第１の務歯とは、第１又は第２のスライダにより、互いに噛み合い可能に構成されている事を特徴としている。【００３５】  また、この考案に係わるバッグ組体は、請求項２６の記載によれば、前記バッグ本体には、これの底面に連設される状態で、内部に第５の荷物が収容される第４の付属バッグが着脱可能に取り付けられることを特徴としている。【００３６】  また、この考案に係わるバッグ組体は、請求項２７の記載によれば、前記第４の付属バッグは、第３の線ファスナにより、前記バッグ本体の���面に着脱可能に取り付けられることを特徴としている。【００３７】  また、この考案に係わるバッグ組体は、請求項２８の記載によれば、前記第３の線ファスナは、前記バッグ本体の底面の全周に渡って取り付けられた第５の務歯と、前記第４の付属バッグの上面の全周に渡って取り付けられた第６の務歯と、該第５及び第６の務歯に共通に掛かって取り付けられた第３のスライダとを備え、該第３のスライダを一方向に沿って移動させることにより、前記第５及び第６の務歯は互いに噛み合って前記バッグ本体と第４の付属バッグとを一体的に連結し、前記第３のスライダを前記一方向とは反対の他方向に沿って移動させることにより、前記第５及び第６の務歯の互いの噛み合いを解除して前記バッグ本体と第４の付属バッグとの連結を解除し、前記第５及び第６の務歯との噛み合いが全て外れる状態で、前記第４の付属バッグは前記バッグ本体から取り外されることを特徴としている。【００３８】  また、この考案に係わるバッグ組体は、請求項２９の記載によれば、前記第４の付属バッグには、これの底面に連接する状態で、底部材が着脱可能に取り付けられることを特徴としている。【００３９】  また、この考案に係わるバッグ組体は、請求項３０の記載によれば、前記底部材は、第４の線ファスナにより、前記第４の付属バッグの底面に着脱可能に取り付けられることを特徴としている。【００４０】  また、この考案に係わるバッグ組体は、請求項３１の記載によれば、前記第４の線ファスナは、前記第４の付属バッグの底面の全周に渡って取り付けられた第７の務歯と、前記底部材の上面の全周に渡って取り付けられた第８の務歯と、該第７及び第８の務歯に共通に掛かって取り付けられた第４のスライダとを備え、該第４のスライダを一方向に沿って移動させることにより、前記第７及び第８の務歯は互いに噛み合って前記底部材と第４の付属バッグとを一体的に連結し、前記第４のスライダを前記一方向とは反対の他方向に沿って移動させることにより、前記第７及び第８の務歯の互いの噛み合いを解除して、前記底部材と第４の付属バッグとの連結を解除し、前記第７及び第８の務歯との噛み合いが全て外れる状態で、前記底部材は前記第４の付属バッグから取り外されることを特徴としている。【００４１】  また、この考案に係わるバッグ組体は、請求項３２の記載によれば、前記底部材は、前記バッグ本体の底面に連接する状態で取り付けられることを特徴としている。【００４２】  また、この考案に係わるバッグ組体は、請求項３３の記載によれば、前記底部材の前記第８の務歯と、前記バッグ本体の前記第５の務歯とは、第３又は第４のスライダにより、互いに噛み合い可能に構成されている事を特徴としている。【００４３】  また、この考案に係わるバッグ組体は、請求項３４の記載によれば、前記底部材の底面は、フラットに形成されている事を特徴としている。【００４４】  また、この考案に係わるバッグ組体は、請求項３５の記載によれば、前記底部材の底面には、該底部材の移動を容易とする複数のキャスタが更に取り付けられている事を特徴としている。
【考案の効果】
【００４５】  以上のように、この考案に係わるバッグ組体を構成することにより、荷物の量や内容によって種々のサイズ、容量や形状のバッグを任意に組み合わせて用いることのできると共に、その取り付け状態を確実に保持することのできるバッグ組体が提供される事になる。
【図面の簡単な説明】
【００４６】
【図１】  この考案に係わるバッグ組体の一実施例の構成を、第１の組み合わせ態様として、全体的に示す斜視図である。
【図２】  図１に示すバッグ組体を構成するバッグ本体を取り出して示す斜視図である。
【図３】  バッグ本体における把持片の取り付け状態を、背負い用として用いる場合で示す側面図である。
【図４】  バッグ本体における第１の取り付け機構の構造を示す側面図である。
【図５】  第１の付属バッグにおける第２の取り付け機構の構造を示す側面図である。
【図６】  第２の取り付け部材における取り付け状態を示す図である。
【図７】  第３の取り付け部材における取り付け状態を示す図である。
【図８】  第１の線ファスナの構造を取り出して示す図である。
【図９】  第３の付属バッグの上面が開放された状態で、この開放上面が蓋部材により閉塞された状態で示す斜視図である。
【図１０】  第２の線ファスナの構造を取り出して示す図である。
【図１１】  蓋部材がバッグ本体の開放上面に直接に取り付けられた状態を取り出して示す図である。
【図１２】  第３の線ファスナの構造を取り出して示す図である。
【図１３】  底部材がバッグ本体の底面に直接に取り付けられた状態を取り出して示す図である。
【考案を実施するための形態】
【００４７】  以下に、添付図面の図１乃至図１３を参照して、この考案に係わるバッグ組体１０の一実施例の構成を説明する。
【００４８】  図１は、この考案のバッグ組体の一実施例における第１の組み合わせ態様の全体構成を示す斜視図である。
【００４９】  この第１の組み合わせ態様において、図２に示すように、バッグ組体１０は、内部に荷物（第１の荷物）を収容し、上面にこの荷物が出し入れされる上部開口１２が形成され、底面１４が閉塞されたバッグ本体１６と、このバッグ本体１６と別々に設けられ、内部に荷物（第２の荷物）を収容する第１の付属バッグ１８と、バッグ本体１６に第１の付属バッグ１８を着脱可能に取り付ける第１の取り付け機構２０とを備えている。
【００５０】  このバッグ本体１６には、詳細は図示していないが、これを持ち運びする為の一対の把持片Ａが、着脱可能に取り付けられている。ここで、両把持片Ａは、周知の機構により各々の長さが調節可能になされていて、手持ち（手提げ）用や、肩掛け用として用いる場合には、バッグ本体１６の外周面２２の、互いに対向する面２２ａ、２２ｂの上縁にループ状（円弧状）に掛け渡された状態で配設され、また、背負い用として用いる場合には、図３に示すように、バッグ本体１６の人間の背中で担ぐ面２２ｃ側で上下に延出して、人間の両肩に掛けられるようにする状態で配設されるように、取り付けられるものである。尚、上記した面２２ａは、バッグ本体１６の表側の面として規定される。
【００５１】  また、このバッグ本体１６の表側の面２２ａには、詳細は図示しない線ファスナーにより開放可能に閉じられたポケットＢが設けられている。
【００５２】  上述した第１の取り付け機構２０は、図４に示すように、バッグ本体１６の外周を規定する外周面２２に上下方向に所定間隔で離れた状態で複数本配設され、各々周方向に沿って延出し、所定のピッチＰで外周面２２に縫い付け等により固定され、固定される部分以外は、外周面２２から離間している複数の離間部２４として規定された帯状の複数の第１の取り付け部材２６と、図５に示すように、第１の付属バッグ１８の外周を規定する外周面２８の、バッグ本体１６の外周面２２に対向する一面２８ａに配設され、周方向に沿って上記した所定ピッチＰと同一のピッチＰで複数個固定され、第１の取り付け部材２６の離間部２４に夫々係脱可能な複数の第２の取り付け部材３０とを備えている。
【００５３】  ここで、第１の取り付け部材２６は、再び図２に示すように、基本的に、バッグ本体１６の外周面において、これの周方向に沿って全周を巡るように配設されているものであるが、上述したポケットＢが取り付けられた部分は除かれるように設定されている。このため、この一実施例においては、第１の取り付け部材２６は、バッグ本体１６の外周面の全周に渡り配設されるものと、ポケットＢが配設された面２２ａを除いて配設されるものとの、２種類が混在しているものである。但し、バッグ本体１６の外周面２２の何れの面においても、第１の取り付け部材２６が配設される状況においては、複数段として配設されているものであるが、この一実施例においては、このような構成に限定されること無く、少なくとも、一段の第１の取り付け部材２６が配設されていれば良いものである。
【００５４】  このように、この一実施例においては、バッグ本体１６を独立したバッグとしてみた場合に、図４に示すように、その外周面２２に、周方向に沿って延出する複数本の帯状の第１の取り付け部材２６が配設されている外観が呈せられるものであり、その意匠的な効果が高いものである。詳細には、従来において、付属のバッグを取り付ける態様が、例えば、マジックテープ等を利用するものと比較した場合に、このマジックテープの一方がバッグ本体の外周面に固定されることになるので、付属のバッグが取り付けられない状態において、このマジックテープが外周面上に露出して、いかにも、見苦しいものとなるが、この一実施例においては、複数段の帯状の第１の取り付け部材２６が露出されているものであるので、上述したように、その意匠的な効果が顕著に発揮されるものであることは、明らかである。
【００５５】    また、第２の取り付け部材３０は、図６に示すように、帯状に形成され、各々、中間部において第１の付属バッグ１８の外周面に固定されている。そして、第２の取り付け部材３０の両端部は、何れか一方が、対応する離間部２４とバッグ本体１６の外周面との間を潜り抜けた状態で、他方に係脱可能に、例えば図示していないが周知のマジックテープ結合によりリング状となるように接合されている。そして、接合された状態で、第２の取り付け部材３０は第１の取り付け部材２６に簡単に取り外されない状態で係止されて、第１の付属バッグ１８はバッグ本体１６に確実に取り付けられる事になる。
【００５６】  以上のように、この一実施例において、第１の付属バッグ１８は、第１の取り付け部材２６に第２の取り付け部材３０が係止される状態で、バッグ本体１６に取り付けられ、第１の取り付け部材２６への第２の取り付け部材３０の係止が解除される状態で、バッグ本体１６から取り外される事になる。
【００５７】  尚、上述した一実施例において、第２の取り付け部材３０の両端は、マジックテープ結合により互いに係脱自在に連結されるように説明したが、これとは別に、詳細は図示していないが周知のスナップ結合により係脱自在に連結されても良いものである。
【００５８】  一方、第１の組み合わせ態様においては、バッグ本体１６の外周面２２には、第１の付属バッグ１８とは独立した状態で、内部に荷物（第３の荷物）を収容する第２の付属バッグ３２が、第２の取り付け機構３４により、着脱可能に取り付けられている。
【００５９】  この第２の取杖機構３４は、第２の付属バッグ３２の外周を規定する外周面３６の、バッグ本体１６の外周面２２に対向する一面３６ａに配設され、周方向に沿って上記した所定ピッチＰと同一のピッチＰで複数個固定され、第１の取り付け部材２６の離間部２４に夫々係脱可能な複数の第３の取り付け部材３８を備えている。
【００６０】  第３の取り付け部材３８は、図７に示すように、基本的に、上述した第２の取り付け部材３０と同一に構成されており、詳細には、帯状に形成され、各々、中間部において第２の付属バッグ３２の外周面に固定されている。そして、第３の取り付け部材３８の両端部は、何れか一方が、対応する離間部２４とバッグ本体１６の外周面との間を潜り抜けた状態で、他方に係脱可能に、例えば図示していないが周知のマジックテープ結合によりリング状となるように接合されている。そして、接合された状態で、第３の取り付け部材３８は第１の取り付け部材２６に簡単に取り外されない状態で係止されて、第２の付属バッグ３４はバッグ本体１６に確実に取り付けられる事になる。
【００６１】  以上のように、この一実施例において、第２の付属バッグ３２は、第１の付属バッグ１８と独立した状態で、第１の取り付け部材２６に第３の取り付け部材３８が係止される状態で、バッグ本体１６に取り付けられ、第１の取り付け部材２６への第３の取り付け部材３８の係止が解除される状態で、バッグ本体１６から取り外される事になる。
【００６２】  一方、第１の組み合わせ態様においては、バッグ本体１６の上面開口１２を閉塞する状態で、また、第１及び第２の付属バッグ１８、３２とは独立した状態で、内部に荷物（第４の荷物）を収容する第３の付属バッグ４０が、第１の線ファスナ４２により、着脱可能に取り付けられている。
【００６３】  第１の線ファスナ４２は、図８に示すように、バッグ本体１６の上部開口１２の周縁の全周に渡って取り付けられた第１の務歯４４と、第３の付属バッグ４０の底面の全周に渡って取り付けられた第２の務歯４６と、第１及び第２の務歯４４、４６に共通に掛かって取り付けられた第１のスライダ４８とを備えている。
【００６４】  この第１の線ファスナ４２においては、第１のスライダ４８を矢印Ｘで示す一方向に沿って移動させることにより、第１及び第２の務歯４４、４６は互いに噛み合ってバッグ本体１６と第３の付属バッグ４０とを一体的に連結し、第１のスライダ４８を上記した一方向Ｘとは反対の他方向に沿って移動させることにより、第１及び第２の務歯４４、４８の互いの噛み合いを解除して、バッグ本体１６と第３の付属バッグ４０との連結を解除し、第１及び第２の務歯４４、４６との噛み合いが全て外れる状態で、第３の付属バッグ４０はバッグ本体１６から取り外されるように、構成されている。
【００６５】  ここで、この一実施例においては、第３の付属バッグ４０は、上面が閉塞された状態で構成されている。この態様においては、第３の付属バッグ４０は、バッグ本体１６に対して、荷物を収容するバッグとして機能すると共に、バッグ本体１６の上面開口１２を閉塞する蓋部材として機能するものである。
【００６６】  一方、他の態様として、図９に示すように、第３の付属バッグ４０は、上面が開放された状態で構成されていても良いものである。この場合、第３の付属バッグ４０には、これの上面開口を閉塞する状態で、蓋部材５０が着脱可能に取り付けられる。
【００６７】  この蓋部材５０は、第２の線ファスナ５２により、第３の付属バッグ４０の上面開口に着脱可能に取り付けられる。この第２の線ファスナ５２は、図１０に示すように、第３の付属バッグ４０の上面開口の周縁の全周に渡って取り付けられた第３の務歯５４と、蓋部材５０の底面の全周に渡って取り付けられた第４の務歯５６と、第３及び第４の務歯５４、５６に共通に掛かって取り付けられた第２のスライダ５８とを備えている。
【００６８】  そして、第２の線ファスナ５２においては、第２のスライダ５８を矢印Ｘで示す一方向に沿って移動させることにより、第３及び第４の務歯５４、５６は互いに噛み合って蓋部材５０と第３の付属バッグ４０とを一体的に連結し、第２のスライダ５８を上記した一方向Ｘとは反対の他方向に沿って移動させることにより、第３及び第４の務歯５４、５６の互いの噛み合いを解除して、蓋部材５０と第３の付属バッグ４０との連結を解除し、第３及び第４の務歯５４、５６との噛み合いが全て外れる状態で、蓋部材５０は第３の付属バッグ４０から取り外されるように、構成されている。
【００６９】  一方、蓋部材５０は、この一実施例においては、バッグ本体１６の上面開口１２を閉塞可能に取り付けられるようにも構成されている。このため、蓋部材５０の第４の務歯５６と、バッグ本体１６の前記第１の務歯４４とは、図１１に示すように、第１又は第２のスライダ４８、５８により、互いに噛み合い可能に構成されている。即ち、この一実施例においては、蓋部材５０は、第３の付属バッグ４０を介することなく、直接に、バッグ本体１６の上部開口１２を閉塞することもできるものである。
【００７０】  一方、バッグ本体１６には、再び図１に示すように、これの底面に連設される状態で、内部に荷物（第５の荷物）が収容される第４の付属バッグ６０が、第３の線ファスナ６２を介して、着脱可能に取り付けられている。
【００７１】  ここで、第３の線ファスナ６２は、図１２に示すように、バッグ本体１６の底面１４の全周に渡って取り付けられた第５の務歯６４と、第４の付属バッグ６０の上面の全周に渡って取り付けられた第６の務歯６６と、第５及び第６の務歯６４、６６に共通に掛かって取り付けられた第３のスライダ６８とを備えている。
【００７２】  この第３の線ファスナ６２においては、第３のスライダ６８を矢印Ｘで示す一方向に沿って移動させることにより、第５及び第６の務歯６４、６６は互いに噛み合ってバッグ本体１６と第４の付属バッグ６０とを一体的に連結し、第３のスライダ６８を上記した一方向Ｘとは反対の他方向に沿って移動させることにより、第５及び第６の務歯６４、６６の互いの噛み合いを解除してバッグ本体１６と第４の付属バッグ６０との連結を解除し、第５及び第６の務歯６４、６６との噛み合いが全て外れる状態で、第４の付属バッグ６０はバッグ本体１６から取り外されるように、構成されている。
【００７３】  そして、第４の付属バッグ６０には、これの底面に連接する状態で、上述した把持片Ａ等を収納する為の小さい収納容積を供えた底部材７０が第４の線ファスナ７２を介して着脱可能に取り付けられている。
【００７４】  この第４の線ファスナ７２は、第４の付属バッグ６０の底面の全周に渡って取り付けられた第７の務歯７４と、底部材７０の上面の全周に渡って取り付けられた第８の務歯７６と、７及び第８の務歯７４、７６に共通に掛かって取り付けられた第４のスライダ７８とを備えている。
【００７５】  この第４の線ファスナ７２においては、第４のスライダ７８を矢印Ｘで示す一方向に沿って移動させることにより、第７及び第８の務歯７４、７６は互いに噛み合って底部材７０と第４の付属バッグ６０とを一体的に連結し、第４のスライダ７８を上記した一方向Ｘとは反対の他方向に沿って移動させることにより、第７及び第８の務歯７４、７６の互いの噛み合いを解除して、底部材７０と第４の付属バッグ６０との連結を解除し、第７及び第８の務歯７４、７６との噛み合いが全て外れる状態で、底部材７０は第４の付属バッグ６０から取り外されるように、構成されている。
【００７６】  ここで、底部材７０は、この一実施例においては、図１３に示すように、バッグ本体１６の底面１４に連接する状態でも取り付けられるように構成されている。このため、底部材７０の第８の務歯７６と、バッグ本体１６の第５の務歯６４とは、第３又は第４のスライダ６８、７８により、互いに噛み合い可能に構成されている。即ち、この一実施例においては、底部材７０は、第４の付属バッグ６０を介することなく、直接に、バッグ本体１６の底面１４に連接させることもできるものである。
【００７７】  ここで、この一実施例においては、底部材７０の底面は、フラットに形成されているが、これに限定されること無く、底部材７０の底面には、該部材７０の移動を容易とする複数のキャスタ８０が更に取り付けられるように構成しても良い。
【００７８】  以上のように第１の組み合わせ態様は構成されているため、バッグ本体１６を中心として、これの外周面２２には、第１及び第２の付属バッグ１８、３２が着脱可能に取り付けられており、また、上部開口１２には、これを閉塞する状態で、第３の付属バッグ４０が着脱自在に取り付けられており、更に、この第３の付属バッグ４０の上部開口には、これを閉塞する状態で、蓋部材５０が着脱可能に取り付けられており、また更に、底面１４には、これに連接する状態で、第４の付属バッグ６０が着脱自在に取り付けられており、更に、この第４の付属バッグ６０の底部には、底面にキャスタ８０が取り付けられた底部材７０が着脱自在に取り付けられている。
【００７９】  このようにして、この第１の取り付け態様においては、バッグ本体１６を中心として、これの周囲及び上下に合計で４つの付属バッグ１８、３２、４０、６０を取り付けて、十分な収容容積を確保したバッグ組体１０が提供されることになる。また、底面にキャスタ８０が取り付けられた底部材７０がバッグ本体１６の底部に取り付けられているので、持ち運びが極めて容易となる効果を奏することが出来るものである。
【００８０】  一方、この一実施例は、このような第１の組み合わせ態様に限定されること無く、バッグ本体１６を中心に、自由な組み合わせで、バッグ組体１０を構成することができるものである。即ち、バッグ本体１６の外周には、第１及び／又は第２の付属バッグ１８、３２を着脱可能に取り付けることができるものであり、自由な組み合わせとは、勿論、バッグ本体１６の外周面２２に、何も取り付けない選択肢も残されているものである。
【００８１】  具体的には、第２の組み合わせ態様として、図示していないが、バッグ本体１６の一面２２ａに、第１の付属バッグ１８ではなく、第２の付属バッグ３２を着脱可能に取り付けることも出来るし、第３の組み合わせ態様として、図示していないが、バッグ本体１６の正面２２ａに、第２の付属バッグ３２を着脱可能に取り付けることも出来るものである。また、第４の組み合わせ態様として、図示していないが、バッグ本体１６の正面２２ｂに、第１及び第２の付属バッグ１８、３２を並んで着脱可能に取り付けることも出来るものである。
【００８２】  更に、バッグ本体１６の上部には、第１及び／又は第２の付属バッグ１８、３２の取り付けの有無とは独立した状態で、第３の付属バッグ４０及び／又は蓋部材５０を着脱可能に取り付けることが出来るものであり、第３の付属バッグ４０が、その上面が閉塞されているものであれば、第５の組み合わせ態様として、図示していないが、これをバッグ本体１６の上部開口１２を閉塞するように取り付けて、蓋部材５０を取り付けないものであっても良い。また、第６の組み合わせ態様として、図示していないが、第３の付属バッグ４０を取り付けることなく、バッグ本体１６の上部開口１２を閉塞するように、蓋部材５０を直接に着脱可能に取り付けるようにしても良いものである。
【００８３】  また更に、バッグ本体１６の下部には、第１及び／又は第２及び／又は第３の付属バッグ１８、３２、４０の取り付けの有無とは独立した状態で、第４の付属バッグ６０及び／又は底部材７０を着脱可能に取り付けることが出来るものである。
【００８４】  具体的には、第７の組み合わせ態様として、図示していないが、バッグ本体１６の底部に、第４の付属バッグ６０を取り付けずに、底部材７０を直接に着脱可能に取り付けるようにしても良いものである。
【００８５】  上述した一実施例の構成、及び種々の組み合わせ態様は、あくまでも一例であり、この考案の主旨を逸脱しない範囲で、種々変形可能であることは言うまでもない。
【００８６】  例えば、上述した一実施例においては、このバッグ組体１０を手持ちで運ぶための把持片Ａを備えるように説明したが、既に説明したように、背負い用の肩掛け片であっても良いし、要は、このバッグ組体１０を持ち運ぶことが出来るものであれば、何でもよい。
【００８７】  また、上述した一実施例においては、第２の取り付け部材３０の両端を係止するためにマジックテープ結合を用いるように説明し、その他、スナップ結合を用いることも説明したが、要は、第２の取り付け部材３０の両端を係脱可能な状態で係止できる手段であれば、何でもよい。
【００８８】  以上、詳細に説明したように、この考案のバッグ組体１０を構成することにより、荷物の量や内容によって種々のサイズ、容量や形状のバッグを任意に組み合わせて用いることのできると共に、その取り付け状態を確実に保持することのできるバッグ組体が提供される事になる。
【００８９】  また、このバッグ組体１０を構成するバッグ本体１６の外周面２２に設けられた、第２の取り付け部材３０が取り付けらる第１の取り付け部材２６は、帯状に構成されると共に、上下に離間した状態で複数段配設されているので、これに第２の取り付け部材３０が取り付けられずに、外部に露出する状態においても、外周面２２に取り付けられた複数段の帯として、バッグ本体１６の意匠性を向上させることとなり、商品価値を高めることが出来るものである。
【産業上の利用可能性】
【００９０】  この考案のバッグ組体１０は、多量の容量の荷物を収容する際に使用するものとして説明を行ったが、このような使用例に限定されることなく、例えば、荷物のサイズや種類（例えば、Ａ４サイズの書類や書物をバッグ本体に、タブレット等の電子機器を、第１の付属バッグに、携帯電話等のモバイル機器を第２の付属バッグに、というように、分類した状態で収納することにより、これらの取り出しを迅速にできるようにすることが出来るものである。
【符号の説明】
【００９１】Ａ…把持片
Ｂ…ポケット
Ｐ…ピッチ
１０…バッグ組体
１２…上部開口
１４…底面
１６…バッグ本体
１８…第１の付属バッグ
２０…第１の取り付け機構
２２…バッグ本体１６の外周面
２２ａ…外周面２２の一面
２４…離間部
２６…第１の取り付け部材
２８…第１の付属バッグ１８の外周面
２８ａ…外周面２８の一面
３０…第２の取り付け部材
３２…第２の付属バッグ
３４…第２の取り付け機構
３６…第２の付属バッグ３２の外周面
３６ａ…外周面３６の一面
３８…第３の取り付け部材
４０…第３の付属バッグ
４２…第１の線ファスナ
４４…第１の務歯
４６…第２の務歯
４８…第１のスライダ
５０…蓋部材
５２…第２の線ファスナ
５４…第３の務歯
５６…第４の務歯
５８…第２のスライダ
６０…第４の付属バッグ
６２…第３の線ファスナ
６４…第５の務歯
６６…第６の務歯
６８…第３のスライダ
７０…底部材
７２…第４の線ファスナ
７４…第７の務歯
７６…第８の務歯
７８…第４のスライダ
８０…キャスタ
【図１】
0003189497.tif 000003
【図２】
0003189497.tif 000004
【図３】
0003189497.tif 000005
【図４】
0003189497.tif 000006
【図５】
0003189497.tif 000007
【図６】
0003189497.tif 000008
【図７】
0003189497.tif 000009
【図８】
0003189497.tif 000010
【図９】
0003189497.tif 000011
【図１０】
0003189497.tif 000012
【図１１】
0003189497.tif 000013
【図１２】
0003189497.tif 000014
【図１３】
0003189497.tif 000015
【手続補正書】
【提出日】平成25年12月25日(2013.12.25)
【手続補正１】
【補正対象書類名】実用新案登録請求の範囲
【補正対象項目名】全文
【補正方法】変更
【補正の内容】
【実用新案登録請求の範囲】
【請求項１】
内部に第１の荷物を収容し、上面に該第１の荷物が出し入れされる開口が形成され、底面が閉塞されたバッグ本体と、
前記バッグ本体と別々に設けられ、内部に第２の荷物を収容する第１の付属バッグと、
前記バッグ本体に前記第１の付属バッグを着脱可能に取り付ける第１の取り付け手段とを具備し、
該第１の取り付け手段は、
前記バッグ本体の外周を規定する外周面の少なくとも一面に配設され、周方向に沿って延出し、所定のピッチで該外周面に固定され、固定される部分以外は、該外周面から離間している複数の離間部として規定される、少なくとも１本の帯状の第１の取り付け部材と、
前記第１の付属バッグの外周を規定する外周面の少なくとも一面に配設され、周方向に沿って前記所定ピッチと同一のピッチで複数固定され、前記第１の取り付け部材の前記離間部に夫々係脱可能な複数の第２の取り付け部材とを備え、
前記第１の付属バッグは、前記第１の取り付け部材に前記第２の取り付け部材が係止される状態で、前記バッグ本体に取り付けられ、前記第１の取り付け部材への前記第２の取り付け部材の係止が解除される状態で、前記バッグ本体から取り外される事を特徴とするバッグ組体。
【請求項２】
前記第１の取り付け部材は、上下に離間して複数本配設され、
前記第２の取り付け部材は、該第１の取り付け部材の配設状態に対応して、複数段配設されている事を特徴とする請求項１に記載のバッグ組体。
【請求項３】
前記第１の取り付け部材は、前記バッグ本体の外周面に配設され、
前記第２の取り付け部材は、前記第１の付属バッグの外周面に配設されている事を特徴とする請求項１又は２に記載のバッグ組体。
【請求項４】
前記第１の取り付け部材は、前記バッグ本体の外周面に、周方向に沿って全周に渡り延出する状態で配設されている事を特徴とする請求項３に記載のバッグ組体。
【請求項５】
前記第２の取り付け部材は、前記第１の付属バッグの外周面の、前記バッグ本体に対向する一面に配設されている事を特徴とする請求項３又は４に記載のバッグ組体。
【請求項６】
前記第２の取り付け部材は、帯状に形成され、各々、中間部において前記第１の付属バッグの外周面に固定され、両端部は、何れか一方が、対応する離間部と外周面との間を潜り抜けた状態で、他方に係脱可能に接合され、
該接合された状態で、前記第２の取り付け部材は前記第１の取り付け部材に係止されて前記第１の付属バッグは前記バッグ本体に取り付けられる事を特徴とする請求項１乃至５のうち何れか１項に記載のバッグ組体。
【請求項７】
前記第２の取り付け部材の両端は、スナップ結合により係脱自在に連結されている事を特徴とする請求項６に記載のバッグ組体
【請求項８】
前記第２の取り付け部材の両端は、面ファスナー結合により係脱自在に連結されている事を特徴とする請求項６に記載のバッグ組体。
【請求項９】
前記第１の付属バッグと別々に設けられ、内部に第３の荷物を収容する第２の付属バッグと、
前記バッグ本体に前記第２の付属バッグを着脱可能に取り付ける第２の取り付け手段とを更に具備する事を特徴とする請求項１乃至８のうち何れか１項に記載のバッグ組体。
【請求項１０】
該第２の取り付け手段は、前記第２の付属バッグの外周を規定する外周面の少なくとも一面に配設され、周方向に沿って前記所定ピッチと同一のピッチで複数固定され、前記第１の取り付け手段の第１の取り付け部材の前記離間部に夫々係脱可能な複数の第３の取り付け部材を備え、
前記第２の付属バッグは、前記第１の取り付け部材に前記第３の取り付け部材が係止される状態で、前記バッグ本体に取り付けられ、前記第１の取り付け部材への前記第３の取り付け部材の係止が解除される状態で、前記バッグ本体から取り外される事を特徴とする請求項９に記載のバッグ組体。
【請求項１１】
前記第３の取り付け部材は、該第１の取り付け部材の配設状態に対応して、複数段配設されている事を特徴とする請求項１０に記載のバッグ組体。
【請求項１２】
前記第３の取り付け部材は、前記第２の付属バッグの外周面の、前記バッグ本体に対向する一面に配設されている事を特徴とする請求項１０又は１１に記載のバッグ組体。
【請求項１３】
前記第３の取り付け部材は、帯状に形成され、各々、中間部において前記第２の付属バッグの外周面に固定され、両端部は、何れか一方が、対応する離間部と外周面との間を潜り抜けた状態で、他方に着脱可能に接合される事を特徴とする請求項１０乃至１２の何れか１項に記載のバッグ組体。
【請求項１４】
前記第３の取り付け部材の両端は、スナップ結合により係脱自在に連結されている事を特徴とする請求項１３に記載のバッグ組体
【請求項１５】
前記第３の取り付け部材の両端は、面ファスナー結合により係脱自在に連結されている事を特徴とする請求項１３に記載のバッグ組体。
【請求項１６】
前記バッグ本体には、これの上面開口を閉塞する状態で、内部に第４の荷物を収容する第３の付属バッグが着脱可能に取り付けられることを特徴とする請求項１乃至１５のうち何れか１項に記載のバッグ組体。
【請求項１７】
前記第３の付属バッグは、第１の線ファスナにより、前記バッグ本体の開口上面に着脱可能に取り付けられることを特徴とする請求項１６に記載のバッグ組体。
【請求項１８】
前記第１の線ファスナは、前記バッグ本体の上部開口の全周に渡って取り付けられた第１の務歯と、前記第３の付属バッグの底面の全周に渡って取り付けられた第２の務歯と、該第１及び第２の務歯に共通に掛かって取り付けられた第１のスライダとを備え、
該第１のスライダを一方向に沿って移動させることにより、前記第１及び第２の務歯は互いに噛み合って前記バッグ本体と第３の付属バッグとを一体的に連結し、
前記第１のスライダを前記一方向とは反対の他方向に沿って移動させることにより、前記第１及び第２の務歯の互いの噛み合いを解除して前記バッグ本体と第３の付属バッグとの連結を解除し、前記第１及び第２の務歯との噛み合いが全て外れる状態で、前記第３の付属バッグは前記バッグ本体から取り外されることを特徴とする請求項１７に記載のバッグ組体。
【請求項１９】
前記第３の付属バッグは、上面が閉塞された状態で構成されている事を特徴とする請求項１８に記載のバッグ組体。
【請求項２０】
前記第３の付属バッグは、上面が開放された状態で構成されている事を特徴とする請求項１８に記載のバッグ組体。
【請求項２１】
前記第３の付属バッグには、これの上面開口を閉塞する状態で、蓋部材が着脱可能に取り付けられることを特徴とする請求項２０に記載のバッグ組体。
【請求項２２】
前記蓋部材は、第２の線ファスナにより、前記第３の付属バッグの上面開口に着脱可能に取り付けられることを特徴とする請求項２１に記載のバッグ組体。
【請求項２３】
前記第２の線ファスナは、前記第３の付属バッグの上面開口の全周に渡って取り付けられた第３の務歯と、前記蓋部材の底面の全周に渡って取り付けられた第４の務歯と、該第３及び第４の務歯に共通に掛かって取り付けられた第２のスライダとを備え、
該第２のスライダを一方向に沿って移動させることにより、前記第３及び第４の務歯は互いに噛み合って前記蓋部材と第３の付属バッグとを一体的に連結し、
前記第２のスライダを前記一方向とは反対の他方向に沿って移動させることにより、前記第３及び第４の務歯の互いの噛み合いを解除して、前記蓋部材と第３の付属バッグとの連結を解除し、前記第３及び第４の務歯との噛み合いが全て外れる状態で、前記蓋部材は前記第３の付属バッグから取り外されることを特徴とする請求項２２に記載のバッグ組体。
【請求項２４】
前記蓋部材は、前記バッグ本体の上面開口を閉塞可能に取り付けられることを特徴とする請求項２３に記載のバッグ組体。
【請求項２５】
前記蓋部材の前記第４の務歯と、前記バッグ本体の前記第１の務歯とは、第１又は第２のスライダにより、互いに噛み合い可能に構成されている事を特徴とする請求項２４に記載のバッグ組体。
【請求項２６】
前記バッグ本体には、これの底面に連設される状態で、内部に第５の荷物が収容される第４の付属バッグが着脱可能に取り付けられることを特徴とする請求項１乃至２５のうち何れか１項に記載のバッグ組体。
【請求項２７】
前記第４の付属バッグは、第３の線ファスナにより、前記バッグ本体の底面に着脱可能に取り付けられることを特徴とする請求項２６に記載のバッグ組体。
【請求項２８】
前記第３の線ファスナは、前記バッグ本体の底面の全周に渡って取り付けられた第５の務歯と、前記第４の付属バッグの上面の全周に渡って取り付けられた第６の務歯と、該第５及び第６の務歯に共通に掛かって取り付けられた第３のスライダとを備え、
該第３のスライダを一方向に沿って移動させることにより、前記第５及び第６の務歯は互いに噛み合って前記バッグ本体と第４の付属バッグとを一体的に連結し、
前記第３のスライダを前記一方向とは反対の他方向に沿って移動させることにより、前記第５及び第６の務歯の互いの噛み合いを解除して前記バッグ本体と第４の付属バッグとの連結を解除し、前記第５及び第６の務歯との噛み合いが全て外れる状態で、前記第４の付属バッグは前記バッグ本体から取り外されることを特徴とする請求項２７に記載のバッグ組体。
【請求項２９】
前記第４の付属バッグには、これの底面に連接する状態で、底部材が着脱可能に取り付けられることを特徴とする請求項２８に記載のバッグ組体。
【請求項３０】
前記底部材は、第４の線ファスナにより、前記第４の付属バッグの底面に着脱可能に取り付けられることを特徴とする請求項２９に記載のバッグ組体。
【請求項３１】
前記第４の線ファスナは、前記第４の付属バッグの底面の全周に渡って取り付けられた第７の務歯と、前記底部材の上面の全周に渡って取り付けられた第８の務歯と、該第７及び第８の務歯に共通に掛かって取り付けられた第４のスライダとを備え、
該第４のスライダを一方向に沿って移動させることにより、前記第７及び第８の務歯は互いに噛み合って前記底部材と第４の付属バッグとを一体的に連結し、
前記第４のスライダを前記一方向とは反対の他方向に沿って移動させることにより、前記第７及び第８の務歯の互いの噛み合いを解除して、前記底部材と第４の付属バッグとの連結を解除し、前記第７及び第８の務歯との噛み合いが全て外れる状態で、前記底部材は前記第４の付属バッグから取り外されることを特徴とする請求項３０に記載のバッグ組体。
【請求項３２】
前記底部材は、前記バッグ本体の底面に連接する状態で取り付けられることを特徴とする請求項３１に記載のバッグ組体。
【請求項３３】
前記底部材の前記第８の務歯と、前記バッグ本体の前記第５の務歯とは、第３又は第４のスライダにより、互いに噛み合い可能に構成されている事を特徴とする請求項３２に記載のバッグ組体。
【請求項３４】
前記底部材の底面は、フラットに形成されている事を特徴とする請求項前記２９乃至３３の何れか１項に記載のバッグ組体。
【請求項３５】
前記底部材の底面には、該底部材の移動を容易とする複数のキャスタが更に取り付けられている事を特徴とする請求項３４に記載のバッグ組体。
【手続補正２】
【補正対象書類名】明細書
【補正対象項目名】全文
【補正方法】変更
【補正の内容】
【考案の詳細な説明】
【技術分野】
【０００１】  この考案は、荷物を効率的に収納するためのバッグ組体であって、荷物の量や内容によって種々のサイズ、容量や形状のバッグを組み合わせて用いることのできるバッグ組体に関するものである。
【背景技術】
【０００２】  従来より、荷物を収容するバッグの形態として、マルチ・ウェイ（多態様）式や、マルチ・ファンクション（多機能）式等が知られ、広く流通に供されている。【０００３】  マルチ・ウェイ（多態様）式のバッグとして、例えば特許文献１には、背中で担げるリュックサック態様と、手や腕で持ち運ぶ手持ち態様と、路面を引いて運べるキャリー態様とを、任意に選択できるように構成されたバッグが開示されている。【０００４】  また、マルチ・ファンクション（多機能）式のバッグとして、例えば特許文献２では、荷物の収納量や種類、収容目的等に応じて、メインのバッグに、面ファスナーや結束バンド等を介して補助バッグを着脱自在に取り付ける形態のバッグが提案されている。
【先行技術文献】
【特許文献】
【０００５】
【特許文献１】  特開２００９−２８５４３３号公報
【０００６】
【特許文献２】  特開２０１３−９４５３１号公報
【考案の概要】
【考案が解決しようとする課題】
【０００７】  しかしながら、上述した特許文献１に記載のバッグでは、バッグの持ち運び方を任意に選択でき、それなりの使い勝手の良いものであるものの、荷物の収容量を増やしたいとか、携帯電話等の小さい電子機器を簡単に取り出し可能に収容したいとか、荷物の量や形状等に適宜応じた形態とすることはできないものであった。【０００８】  また、上述した特許文献２の記載のバッグでは、バッグに収容する荷物の量を増やしたい場合に、メインのバッグの上側に、結束バンド等を用いて、補助バッグを取り外し自在に取り付けるものであるため、荷物の量を大幅に増やしたい場合には好適するものの、取り付け時のバランスが悪いと、補助バッグがメインのバッグから滑り落ちる等の問題も指摘されている。
【課題を解決するための手段】
【０００９】  この考案の目的は、上述した事情に鑑みなされたもので、この考案の主たる目的は、荷物の量や内容によって種々のサイズ、容量や形状のバッグを任意に組み合わせて用いることのできると共に、その取り付け状態を確実に保持することのできるバッグ組体を提供することである。【００１０】  上述した課題を解決し、目的を達成するため、この考案に係わるバッグ組体は、請求項１の記載によれば、内部に第１の荷物を収容し、上面に該第１の荷物が出し入れされる開口が形成され、底面が閉塞されたバッグ本体と、前記バッグ本体と別々に設けられ、内部に第２の荷物を収容する第１の付属バッグと、前記バッグ本体に前記第１の付属バッグを着脱可能に取り付ける第１の取り付け手段とを具備し、該第１の取り付け手段は、前記バッグ本体の外周を規定する外周面の少なくとも一面に配設され、周方向に沿って延出し、所定のピッチで該外周面に固定され、固定される部分以外は、該外周面から離間している複数の離間部として規定される、少なくとも１本の帯状の第１の取り付け部材と、前記第１の付属バッグの外周を規定する外周面の少なくとも一面に配設され、周方向に沿って前記所定ピッチと同一のピッチで複数固定され、前記第１の取り付け部材の前記離間部に夫々係脱可能な複数の第２の取り付け部材とを備え、前記第１の付属バッグは、前記第１の取り付け部材に前記第２の取り付け部材が係止される状態で、前記バッグ本体に取り付けられ、前記第１の取り付け部材から前記第２の取り付け部材の係止が解除される状態で、前記バッグ本体から取り外される事を特徴としている。【００１１】  また、この考案に係わるバッグ組体は、請求項２の記載によれば、前記第１の取り付け部材は、上下に離間して複数本配設され、前記第２の取り付け部材は、該第１の取り付け部材の配設状態に対応して、複数段配設されている事を特徴としている。【００１２】  また、この考案に係わるバッグ組体は、請求項３の記載によれば、前記第１の取り付け部材は、前記バッグ本体の外周面に配設され、前記第２の取り付け部材は、前記第１の付属バッグの外周面に配設されている事を特徴としている。【００１３】  また、この考案に係わるバッグ組体は、請求項４の記載によれば、前記第１の取り付け部材は、前記バッグ本体の外周面に、周方向に沿って全周に渡り延出する状態で配設されている事を特徴としている。【００１４】  また、この考案に係わるバッグ組体は、請求項５の記載によれば、前記第２の取り付け部材は、前記第１の付属バッグの外周面の、前記バッグ本体に対向する一面に配設されている事を特徴としている。【００１５】  また、この考案に係わるバッグ組体は、請求項６の記載によれば、前記第２の取り付け部材は、帯状に形成され、各々、中間部において前記第１の付属バッグの外周面に固定され、両端部は、何れか一方が、対応する離間部と外周面との間を潜り抜けた状態で、他方に係脱可能に接合され、該接合された状態で、前記第２の取り付け部材は前記第１の取り付け部材に係止されて前記第１の付属バッグは前記バッグ本体に取り付けられる事を特徴としている。【００１６】  また、この考案に係わるバッグ組体は、請求項７の記載によれば、前記第２の取��付け部材の両端は、スナップ結合により係脱自在に連結されている事を特徴としている。【００１７】  また、この考案に係わるバッグ組体は、請求項８の記載によれば、前記第２の取り付け部材の両端は、面ファスナー結合により係脱自在に連結されている事を特徴としている。【００１８】  また、この考案に係わるバッグ組体は、請求項９の記載によれば、前記第１の付属バッグと別々に設けられ、内部に第３の荷物を収容する第２の付属バッグと、前記バッグ本体に前記第２の付属バッグを着脱可能に取り付ける第２の取り付け手段とを更に具備する事を特徴としている。【００１９】  また、この考案に係わるバッグ組体は、請求項１０の記載によれば、該第２の取り付け手段は、前記第２の付属バッグの外周を規定する外周面の少なくとも一面に配設され、周方向に沿って前記所定ピッチと同一のピッチで複数固定され、前記第１の取り付け手段の第１の取り付け部材の前記離間部に夫々係脱可能な複数の第３の取り付け部材を備え、前記第２の付属バッグは、前記第１の取り付け部材に前記第３の取り付け部材が係止される状態で、前記バッグ本体に取り付けられ、前記第１の取り付け部材への前記第３の取り付け部材の係止が解除される状態で、前記バッグ本体から取り外される事を特徴としている。【００２０】  また、この考案に係わるバッグ組体は、請求項１１の記載によれば、前記第３の取り付け部材は、該第１の取り付け部材の配設状態に対応して、複数段配設されている事を特徴としている。【００２１】  また、この考案に係わるバッグ組体は、請求項１２の記載によれば、前記第３の取り付け部材は、前記第２の付属バッグの外周面の、前記バッグ本体に対向する一面に配設されている事を特徴としている。【００２２】  また、この考案に係わるバッグ組体は、請求項１３の記載によれば、前記第３の取り付け部材は、帯状に形成され、各々、中間部において前記第２の付属バッグの外周面に固定され、両端部は、何れか一方が、対応する離間部と外周面との間を潜り抜けた状態で、他方に着脱可能に接合される事を特徴としている。【００２３】  また、この考案に係わるバッグ組体は、請求項１４の記載によれば、前記第３の取り付け部材の両端は、スナップ結合により係脱自在に連結されている事を特徴としている。【００２４】  また、この考案に係わるバッグ組体は、請求項１５の記載によれば、前記第３の取り付け部材の両端は、面ファスナー結合により係脱自在に連結されている事を特徴としている。【００２５】  また、この考案に係わるバッグ組体は、請求項１６の記載によれば、前記バッグ本体には、これの上面開口を閉塞する状態で、内部に第４の荷物を収容する第３の付属バッグが着脱可能に取り付けられることを特徴としている。【００２６】  また、この考案に係わるバッグ組体は、請求項１７の記載によれば、前記第３の付属バッグは、第１の線ファスナにより、前記バッグ本体の開口上面に着脱可能に取り付けられることを特徴としている。【００２７】  また、この考案に係わるバッグ組体は、請求項１８の記載によれば、前記第１の線ファスナは、前記バッグ本体の上部開口の全周に渡って取り付けられた第１の務歯と、前記第３の付属バッグの底面の全周に渡っ���取り付けられた第２の務歯と、該第１及び第２の務歯に共通に掛かって取り付けられた第１のスライダとを備え、該第１のスライダを一方向に沿って移動させることにより、前記第１及び第２の務歯は互いに噛み合って前記バッグ本体と第３の付属バッグとを一体的に連結し、前記第１のスライダを前記一方向とは反対の他方向に沿って移動させることにより、前記第１及び第２の務歯の互いの噛み合いを解除して前記バッグ本体と第３の付属バッグとの連結を解除し、前記第１及び第２の務歯との噛み合いが全て外れる状態で、前記第３の付属バッグは前記バッグ本体から取り外されることを特徴としている。【００２８】  また、この考案に係わるバッグ組体は、請求項１９の記載によれば、前記第３の付属バッグは、上面が閉塞された状態で構成されている事を特徴としている。【００２９】  また、この考案に係わるバッグ組体は、請求項２０の記載によれば、前記第３の付属バッグは、上面が開放された状態で構成されている事を特徴としている。【００３０】  また、この考案に係わるバッグ組体は、請求項２１の記載によれば、前記第３の付属バッグには、これの上面開口を閉塞する状態で、蓋部材が着脱可能に取り付けられることを特徴としている。【００３１】  また、この考案に係わるバッグ組体は、請求項２２の記載によれば、前記蓋部材は、第２の線ファスナにより、前記第３の付属バッグの上面開口に着脱可能に取り付けられることを特徴としている。【００３２】  また、この考案に係わるバッグ組体は、請求項２３の記載によれば、前記第２の線ファスナは、前記第３の付属バッグの上面開口の全周に渡って取り付けられた第３の務歯と、前記蓋部材の底面の全周に渡って取り付けられた第４の務歯と、該第３及び第４の務歯に共通に掛かって取り付けられた第２のスライダとを備え、該第２のスライダを一方向に沿って移動させることにより、前記第３及び第４の務歯は互いに噛み合って前記蓋部材と第３の付属バッグとを一体的に連結し、前記第２のスライダを前記一方向とは反対の他方向に沿って移動させることにより、前記第３及び第４の務歯の互いの噛み合いを解除して、前記蓋部材と第３の付属バッグとの連結を解除し、前記第３及び第４の務歯との噛み合いが全て外れる状態で、前記蓋部材は前記第３の付属バッグから取り外されることを特徴としている。【００３３】  また、この考案に係わるバッグ組体は、請求項２４の記載によれば、前記蓋部材は、前記バッグ本体の上面開口を閉塞可能に取り付けられることを特徴としている。【００３４】  また、この考案に係わるバッグ組体は、請求項２５の記載によれば、前記蓋部材の前記第４の務歯と、前記バッグ本体の前記第１の務歯とは、第１又は第２のスライダにより、互いに噛み合い可能に構成されている事を特徴としている。【００３５】  また、この考案に係わるバッグ組体は、請求項２６の記載によれば、前記バッグ本体には、これの底面に連設される状態で、内部に第５の荷物が収容される第４の付属バッグが着脱可能に取り付けられることを特徴としている。【００３６】  また、この考案に係わるバッグ組体は、請求項２７の記載によれば、前記第４の付属バッグは、第３の線ファスナにより、前記バッグ本体の底面���着脱可能に取り付けられることを特徴としている。【００３７】  また、この考案に係わるバッグ組体は、請求項２８の記載によれば、前記第３の線ファスナは、前記バッグ本体の底面の全周に渡って取り付けられた第５の務歯と、前記第４の付属バッグの上面の全周に渡って取り付けられた第６の務歯と、該第５及び第６の務歯に共通に掛かって取り付けられた第３のスライダとを備え、該第３のスライダを一方向に沿って移動させることにより、前記第５及び第６の務歯は互いに噛み合って前記バッグ本体と第４の付属バッグとを一体的に連結し、前記第３のスライダを前記一方向とは反対の他方向に沿って移動させることにより、前記第５及び第６の務歯の互いの噛み合いを解除して前記バッグ本体と第４の付属バッグとの連結を解除し、前記第５及び第６の務歯との噛み合いが全て外れる状態で、前記第４の付属バッグは前記バッグ本体から取り外されることを特徴としている。【００３８】  また、この考案に係わるバッグ組体は、請求項２９の記載によれば、前記第４の付属バッグには、これの底面に連接する状態で、底部材が着脱可能に取り付けられることを特徴としている。【００３９】  また、この考案に係わるバッグ組体は、請求項３０の記載によれば、前記底部材は、第４の線ファスナにより、前記第４の付属バッグの底面に着脱可能に取り付けられることを特徴としている。【００４０】  また、この考案に係わるバッグ組体は、請求項３１の記載によれば、前記第４の線ファスナは、前記第４の付属バッグの底面の全周に渡って取り付けられた第７の務歯と、前記底部材の上面の全周に渡って取り付けられた第８の務歯と、該第７及び第８の務歯に共通に掛かって取り付けられた第４のスライダとを備え、該第４のスライダを一方向に沿って移動させることにより、前記第７及び第８の務歯は互いに噛み合って前記底部材と第４の付属バッグとを一体的に連結し、前記第４のスライダを前記一方向とは反対の他方向に沿って移動させることにより、前記第７及び第８の務歯の互いの噛み合いを解除して、前記底部材と第４の付属バッグとの連結を解除し、前記第７及び第８の務歯との噛み合いが全て外れる状態で、前記底部材は前記第４の付属バッグから取り外されることを特徴としている。【００４１】  また、この考案に係わるバッグ組体は、請求項３２の記載によれば、前記底部材は、前記バッグ本体の底面に連接する状態で取り付けられることを特徴としている。【００４２】  また、この考案に係わるバッグ組体は、請求項３３の記載によれば、前記底部材の前記第８の務歯と、前記バッグ本体の前記第５の務歯とは、第３又は第４のスライダにより、互いに噛み合い可能に構成されている事を特徴としている。【００４３】  また、この考案に係わるバッグ組体は、請求項３４の記載によれば、前記底部材の底面は、フラットに形成されている事を特徴としている。【００４４】  また、この考案に係わるバッグ組体は、請求項３５の記載によれば、前記底部材の底面には、該底部材の移動を容易とする複数のキャスタが更に取り付けられている事を特徴としている。
【考案の効果】
【００４５】  以上のように、この考案に係わるバッグ組体を構成することにより、荷物の量や内容によって種々のサイズ、容量や形状のバッグを任意に組み合わせて用いることのできると共に、その取り付け状態を確実に保持することのできるバッグ組体が提供される事になる。
【図面の簡単な説明】
【００４６】
【図１】  この考案に係わるバッグ組体の一実施例の構成を、第１の組み合わせ態様として、全体的に示す斜視図である。
【図２】  図１に示すバッグ組体を構成するバッグ本体を取り出して示す斜視図である。
【図３】  バッグ本体における把持片の取り付け状態を、背負い用として用いる場合で示す側面図である。
【図４】  バッグ本体における第１の取り付け機構の構造を示す側面図である。
【図５】  第１の付属バッグにおける第２の取り付け機構の構造を示す側面図である。
【図６】  第２の取り付け部材における取り付け状態を示す図である。
【図７】  第３の取り付け部材における取り付け状態を示す図である。
【図８】  第１の線ファスナの構造を取り出して示す図である。
【図９】  第３の付属バッグの上面が開放された状態で、この開放上面が蓋部材により閉塞された状態で示す斜視図である。
【図１０】  第２の線ファスナの構造を取り出して示す図である。
【図１１】  蓋部材がバッグ本体の開放上面に直接に取り付けられた状態を取り出して示す図である。
【図１２】  第３の線ファスナの構造を取り出して示す図である。
【図１３】  底部材がバッグ本体の底面に直接に取り付けられた状態を取り出して示す図である。
【考案を実施するための形態】
【００４７】  以下に、添付図面の図１乃至図１３を参照して、この考案に係わるバッグ組体１０の一実施例の構成を説明する。
【００４８】  図１は、この考案のバッグ組体の一実施例における第１の組み合わせ態様の全体構成を示す斜視図である。
【００４９】  この第１の組み合わせ態様において、図２に示すように、バッグ組体１０は、内部に荷物（第１の荷物）を収容し、上面にこの荷物が出し入れされる上部開口１２が形成され、底面１４が閉塞されたバッグ本体１６と、このバッグ本体１６と別々に設けられ、内部に荷物（第２の荷物）を収容する第１の付属バッグ１８と、バッグ本体１６に第１の付属バッグ１８を着脱可能に取り付ける第１の取り付け機構２０とを備えている。
【００５０】  このバッグ本体１６には、詳細は図示していないが、これを持ち運びする為の一対の把持片Ａが、着脱可能に取り付けられている。ここで、両把持片Ａは、周知の機構により各々の長さが調節可能になされていて、手持ち（手提げ）用や、肩掛け用として用いる場合には、バッグ本体１６の外周面２２の、互いに対向する面２２ａ、２２ｂの上縁にループ状（円弧状）に掛け渡された状態で配設され、また、背負い用として用いる場合には、図３に示すように、バッグ本体１６の人間の背中で担ぐ面２２ｃ側で上下に延出して、人間の両肩に掛けられるようにする状態で配設されるように、取り付けられるものである。尚、上記した面２２ａは、バッグ本体１６の表側の面として規定される。
【００５１】  また、このバッグ本体１６の表側の面２２ａには、詳細は図示しない線ファスナーにより開放可能に閉じられたポケットＢが設けられている。
【００５２】  上述した第１の取り付け機構２０は、図４に示すように、バッグ本体１６の外周を規定する外周面２２に上下方向に所定間隔で離れた状態で複数本配設され、各々周方向に沿って延出し、所定のピッチＰで外周面２２に縫い付け等により固定され、固定される部分以外は、外周面２２から離間している複数の離間部２４として規定された帯状の複数の第１の取り付け部材２６と、図５に示すように、第１の付属バッグ１８の外周を規定する外周面２８の、バッグ本体１６の外周面２２に対向する一面２８ａに配設され、周方向に沿って上記した所定ピッチＰと同一のピッチＰで複数個固定され、第１の取り付け部材２６の離間部２４に夫々係脱可能な複数の第２の取り付け部材３０とを備えている。
【００５３】  ここで、第１の取り付け部材２６は、再び図２に示すように、基本的に、バッグ本体１６の外周面において、これの周方向に沿って全周を巡るように配設されているものであるが、上述したポケットＢが取り付けられた部分は除かれるように設定されている。このため、この一実施例においては、第１の取り付け部材２６は、バッグ本体１６の外周面の全周に渡り配設されるものと、ポケットＢが配設された面２２ａを除いて配設されるものとの、２種類が混在しているものである。但し、バッグ本体１６の外周面２２の何れの面においても、第１の取り付け部材２６が配設される状況においては、複数段として配設されているものであるが、この一実施例においては、このような構成に限定されること無く、少なくとも、一段の第１の取り付け部材２６が配設されていれば良いものである。
【００５４】  このように、この一実施例においては、バッグ本体１６を独立したバッグとしてみた場合に、図４に示すように、その外周面２２に、周方向に沿って延出する複数本の帯状の第１の取り付け部材２６が配設されている外観が呈せられるものであり、その意匠的な効果が高いものである。詳細には、従来において、付属のバッグを取り付ける態様が、例えば、面ファスナー等を利用するものと比較した場合に、この面ファスナーの一方がバッグ本体の外周面に固定されることになるので、付属のバッグが取り付けられない状態において、この面ファスナーが外周面上に露出して、いかにも、見苦しいものとなるが、この一実施例においては、複数段の帯状の第１の取り付け部材２６が露出されているものであるので、上述したように、その意匠的な効果が顕著に発揮されるものであることは、明らかである。
【００５５】    また、第２の取り付け部材３０は、図６に示すように、帯状に形成され、各々、中間部において第１の付属バッグ１８の外周面に固定されている。そして、第２の取り付け部材３０の両端部は、何れか一方が、対応する離間部２４とバッグ本体１６の外周面との間を潜り抜けた状態で、他方に係脱可能に、例えば図示していないが周知の面ファスナー結合によりリング状となるように接合されている。そして、接合された状態で、第２の取り付け部材３０は第１の取り付け部材２６に簡単に取り外されない状態で係止されて、第１の付属バッグ１８はバッグ本体１６に確実に取り付けられる事になる。
【００５６】  以上のように、この一実施例において、第１の付属バッグ１８は、第１の取り付け部材２６に第２の取り付け部材３０が係止される状態で、バッグ本体１６に取り付けられ、第１の取り付け部材２６への第２の取り付け部材３０の係止が解除される状態で、バッグ本体１６から取り外される事になる。
【００５７】  尚、上述した一実施例において、第２の取り付け部材３０の両端は、面ファスナー結合により互いに係脱自在に連結されるように説明したが、これとは別に、詳細は図示していないが周知のスナップ結合により係脱自在に連結されても良いものである。
【００５８】  一方、第１の組み合わせ態様においては、バッグ本体１６の外周面２２には、第１の付属バッグ１８とは独立した状態で、内部に荷物（第３の荷物）を収容する第２の付属バッグ３２が、第２の取り付け機構３４により、着脱可能に取り付けられている。
【００５９】  この第２の取杖機構３４は、第２の付属バッグ３２の外周を規定する外周面３６の、バッグ本体１６の外周面２２に対向する一面３６ａに配設され、周方向に沿って上記した所定ピッチＰと同一のピッチＰで複数個固定され、第１の取り付け部材２６の離間部２４に夫々係脱可能な複数の第３の取り付け部材３８を備えている。
【００６０】  第３の取り付け部材３８は、図７に示すように、基本的に、上述した第２の取り付け部材３０と同一に構成されており、詳細には、帯状に形成され、各々、中間部において第２の付属バッグ３２の外周面に固定されている。そして、第３の取り付け部材３８の両端部は、何れか一方が、対応する離間部２４とバッグ本体１６の外周面との間を潜り抜けた状態で、他方に係脱可能に、例えば図示していないが周知の面ファスナー結合によりリング状となるように接合されている。そして、接合された状態で、第３の取り付け部材３８は第１の取り付け部材２６に簡単に取り外されない状態で係止されて、第２の付属バッグ３４はバッグ本体１６に確実に取り付けられる事になる。
【００６１】  以上のように、この一実施例において、第２の付属バッグ３２は、第１の付属バッグ１８と独立した状態で、第１の取り付け部材２６に第３の取り付け部材３８が係止される状態で、バッグ本体１６に取り付けられ、第１の取り付け部材２６への第３の取り付け部材３８の係止が解除される状態で、バッグ本体１６から取り外される事になる。
【００６２】  一方、第１の組み合わせ態様においては、バッグ本体１６の上面開口１２を閉塞する状態で、また、第１及び第２の付属バッグ１８、３２とは独立した状態で、内部に荷物（第４の荷物）を収容する第３の付属バッグ４０が、第１の線ファスナ４２により、着脱可能に取り付けられている。
【００６３】  第１の線ファスナ４２は、図８に示すように、バッグ本体１６の上部開口１２の周縁の全周に渡って取り付けられた第１の務歯４４と、第３の付属バッグ４０の底面の全周に渡って取り付けられた第２の務歯４６と、第１及び第２の務歯４４、４６に共通に掛かって取り付けられた第１のスライダ４８とを備えている。
【００６４】  この第１の線ファスナ４２においては、第１のスライダ４８を矢印Ｘで示す一方向に沿って移動させることにより、第１及び第２の務歯４４、４６は互いに噛み合ってバッグ本体１６と第３の付属バッグ４０とを一体的に連結し、第１のスライダ４８を上記した一方向Ｘとは反対の他方向に沿って移動させることにより、第１及び第２の務歯４４、４８の互いの噛み合いを解除して、バッグ本体１６と第３の付属バッグ４０との連結を解除し、第１及び第２の務歯４４、４６との噛み合いが全て外れる状態で、第３の付属バッグ４０はバッグ本体１６から取り外されるように、構成されている。
【００６５】  ここで、この一実施例においては、第３の付属バッグ４０は、上面が閉塞された状態で構成されている。この態様においては、第３の付属バッグ４０は、バッグ本体１６に対して、荷物を収容するバッグとして機能すると共に、バッグ本体１６の上面開口１２を閉塞する蓋部材として機能するものである。
【００６６】  一方、他の態様として、図９に示すように、第３の付属バッグ４０は、上面が開放された状態で構成されていても良いものである。この場合、第３の付属バッグ４０には、これの上面開口を閉塞する状態で、蓋部材５０が着脱可能に取り付けられる。
【００６７】  この蓋部材５０は、第２の線ファスナ５２により、第３の付属バッグ４０の上面開口に着脱可能に取り付けられる。この第２の線ファスナ５２は、図１０に示すように、第３の付属バッグ４０の上面開口の周縁の全周に渡って取り付けられた第３の務歯５４と、蓋部材５０の底面の全周に渡って取り付けられた第４の務歯５６と、第３及び第４の務歯５４、５６に共通に掛かって取り付けられた第２のスライダ５８とを備えている。
【００６８】  そして、第２の線ファスナ５２においては、第２のスライダ５８を矢印Ｘで示す一方向に沿って移動させることにより、第３及び第４の務歯５４、５６は互いに噛み合って蓋部材５０と第３の付属バッグ４０とを一体的に連結し、第２のスライダ５８を上記した一方向Ｘとは反対の他方向に沿って移動させることにより、第３及び第４の務歯５４、５６の互いの噛み合いを解除して、蓋部材５０と第３の付属バッグ４０との連結を解除し、第３及び第４の務歯５４、５６との噛み合いが全て外れる状態で、蓋部材５０は第３の付属バッグ４０から取り外されるように、構成されている。
【００６９】  一方、蓋部材５０は、この一実施例においては、バッグ本体１６の上面開口１２を閉塞可能に取り付けられるようにも構成されている。このため、蓋部材５０の第４の務歯５６と、バッグ本体１６の前記第１の務歯４４とは、図１１に示すように、第１又は第２のスライダ４８、５８により、互いに噛み合い可能に構成されている。即ち、この一実施例においては、蓋部材５０は、第３の付属バッグ４０を介することなく、直接に、バッグ本体１６の上部開口１２を閉塞することもできるものである。
【００７０】  一方、バッグ本体１６には、再び図１に示すように、これの底面に連設される状態で、内部に荷物（第５の荷物）が収容される第４の付属バッグ６０が、第３の線ファスナ６２を介して、着脱可能に取り付けられている。
【００７１】  ここで、第３の線ファスナ６２は、図１２に示すように、バッグ本体１６の底面１４の全周に渡って取り付けられた第５の務歯６４と、第４の付属バッグ６０の上面の全周に渡って取り付けられた第６の務歯６６と、第５及び第６の務歯６４、６６に共通に掛かって取り付けられた第３のスライダ６８とを備えている。
【００７２】  この第３の線ファスナ６２においては、第３のスライダ６８を矢印Ｘで示す一方向に沿って移動させることにより、第５及び第６の務歯６４、６６は互いに噛み合ってバッグ本体１６と第４の付属バッグ６０とを一体的に連結し、第３のスライダ６８を上記した一方向Ｘとは反対の他方向に沿って移動させることにより、第５及び第６の務歯６４、６６の互いの噛み合いを解除してバッグ本体１６と第４の付属バッグ６０との連結を解除し、第５及び第６の務歯６４、６６との噛み合いが全て外れる状態で、第４の付属バッグ６０はバッグ本体１６から取り外されるように、構成されている。
【００７３】  そして、第４の付属バッグ６０には、これの底面に連接する状態で、上述した把持片Ａ等を収納する為の小さい収納容積を供えた底部材７０が第４の線ファスナ７２を介して着脱可能に取り付けられている。
【００７４】  この第４の線ファスナ７２は、第４の付属バッグ６０の底面の全周に渡って取り付けられた第７の務歯７４と、底部材７０の上面の全周に渡って取り付けられた第８の務歯７６と、７及び第８の務歯７４、７６に共通に掛かって取り付けられた第４のスライダ７８とを備えている。
【００７５】  この第４の線ファスナ７２においては、第４のスライダ７８を矢印Ｘで示す一方向に沿って移動させることにより、第７及び第８の務歯７４、７６は互いに噛み合って底部材７０と第４の付属バッグ６０とを一体的に連結し、第４のスライダ７８を上記した一方向Ｘとは反対の他方向に沿って移動させることにより、第７及び第８の務歯７４、７６の互いの噛み合いを解除して、底部材７０と第４の付属バッグ６０との連結を解除し、第７及び第８の務歯７４、７６との噛み合いが全て外れる状態で、底部材７０は第４の付属バッグ６０から取り外されるように、構成されている。
【００７６】  ここで、底部材７０は、この一実施例においては、図１３に示すように、バッグ本体１６の底面１４に連接する状態でも取り付けられるように構成されている。このため、底部材７０の第８の務歯７６と、バッグ本体１６の第５の務歯６４とは、第３又は第４のスライダ６８、７８により、互いに噛み合い可能に構成されている。即ち、この一実施例においては、底部材７０は、第４の付属バッグ６０を介することなく、直接に、バッグ本体１６の底面１４に連接させることもできるものである。
【００７７】  ここで、この一実施例においては、底部材７０の底面は、フラットに形成されているが、これに限定されること無く、底部材７０の底面には、該部材７０の移動を容易とする複数のキャスタ８０が更に取り付けられるように構成しても良い。
【００７８】  以上のように第１の組み合わせ態様は構成されているため、バッグ本体１６を中心として、これの外周面２２には、第１及び第２の付属バッグ１８、３２が着脱可能に取り付けられており、また、上部開口１２には、これを閉塞する状態で、第３の付属バッグ４０が着脱自在に取り付けられており、更に、この第３の付属バッグ４０の上部開口には、これを閉塞する状態で、蓋部材５０が着脱可能に取り付けられており、また更に、底面１４には、これに連接する状態で、第４の付属バッグ６０が着脱自在に取り付けられており、更に、この第４の付属バッグ６０の底部には、底面にキャスタ８０が取り付けられた底部材７０が着脱自在に取り付けられている。
【００７９】  このようにして、この第１の取り付け態様においては、バッグ本体１６を中心として、これの周囲及び上下に合計で４つの付属バッグ１８、３２、４０、６０を取り付けて、十分な収容容積を確保したバッグ組体１０が提供されることになる。また、底面にキャスタ８０が取り付けられた底部材７０がバッグ本体１６の底部に取り付けられているので、持ち運びが極めて容易となる効果を奏することが出来るものである。
【００８０】  一方、この一実施例は、このような第１の組み合わせ態様に限定されること無く、バッグ本体１６を中心に、自由な組み合わせで、バッグ組体１０を構成することができるものである。即ち、バッグ本体１６の外周には、第１及び／又は第２の付属バッグ１８、３２を着脱可能に取り付けることができるものであり、自由な組み合わせとは、勿論、バッグ本体１６の外周面２２に、何も取り付けない選択肢も残されているものである。
【００８１】  具体的には、第２の組み合わせ態様として、図示していないが、バッグ本体１６の一面２２ａに、第１の付属バッグ１８ではなく、第２の付属バッグ３２を着脱可能に取り付けることも出来るし、第３の組み合わせ態様として、図示していないが、バッグ本体１６の正面２２ａに、第２の付属バッグ３２を着脱可能に取り付けることも出来るものである。また、第４の組み合わせ態様として、図示していないが、バッグ本体１６の正面２２ｂに、第１及び第２の付属バッグ１８、３２を並んで着脱可能に取り付けることも出来るものである。
【００８２】  更に、バッグ本体１６の上部には、第１及び／又は第２の付属バッグ１８、３２の取り付けの有無とは独立した状態で、第３の付属バッグ４０及び／又は蓋部材５０を着脱可能に取り付けることが出来るものであり、第３の付属バッグ４０が、その上面が閉塞されているものであれば、第５の組み合わせ態様として、図示していないが、これをバッグ本体１６の上部開口１２を閉塞するように取り付けて、蓋部材５０を取り付けないものであっても良い。また、第６の組み合わせ態様として、図示していないが、第３の付属バッグ４０を取り付けることなく、バッグ本体１６の上部開口１２を閉塞するように、蓋部材５０を直接に着脱可能に取り付けるようにしても良いものである。
【００８３】  また更に、バッグ本体１６の下部には、第１及び／又は第２及び／又は第３の付属バッグ１８、３２、４０の取り付けの有無とは独立した状態で、第４の付属バッグ６０及び／又は底部材７０を着脱可能に取り付けることが出来るものである。
【００８４】  具体的には、第７の組み合わせ態様として、図示していないが、バッグ本体１６の底部に、第４の付属バッグ６０を取り付けずに、底部材７０を直接に着脱可能に取り付けるようにしても良いものである。
【００８５】  上述した一実施例の構成、及び種々の組み合わせ態様は、あくまでも一例であり、この考案の主旨を逸脱しない範囲で、種々変形可能であることは言うまでもない。
【００８６】  例えば、上述した一実施例においては、このバッグ組体１０を手持ちで運ぶための把持片Ａを備えるように説明したが、既に説明したように、背負い用の肩掛け片であっても良いし、要は、このバッグ組体１０を持ち運ぶことが出来るものであれば、何でもよい。
【００８７】  また、上述した一実施例においては、第２の取り付け部材３０の両端を係止するために面ファスナー結合を用いるように説明し、その他、スナップ結合を用いることも説明したが、要は、第２の取り付け部材３０の両端を係脱可能な状態で係止できる手段であれば、何でもよい。
【００８８】  以上、詳細に説明したように、この考案のバッグ組体１０を構成することにより、荷物の量や内容によって種々のサイズ、容量や形状のバッグを任意に組み合わせて用いることのできると共に、その取り付け状態を確実に保持することのできるバッグ組体が提供される事になる。
【００８９】  また、このバッグ組体１０を構成するバッグ本体１６の外周面２２に設けられた、第２の取り付け部材３０が取り付けらる第１の取り付け部材２６は、帯状に構成されると共に、上下に離間した状態で複数段配設されているので、これに第２の取り付け部材３０が取り付けられずに、外部に露出する状態においても、外周面２２に取り付けられた複数段の帯として、バッグ本体１６の意匠性を向上させることとなり、商品価値を高めることが出来るものである。
【産業上の利用可能性】
【００９０】  この考案のバッグ組体１０は、多量の容量の荷物を収容する際に使用するものとして説明を行ったが、このような使用例に限定されることなく、例えば、荷物のサイズや種類（例えば、Ａ４サイズの書類や書物をバッグ本体に、タブレット等の電子機器を、第１の付属バッグに、携帯電話等のモバイル機器を第２の付属バッグに、というように、分類した状態で収納することにより、これらの取り出しを迅速にできるようにすることが出来るものである。
【符号の説明】
【００９１】Ａ…把持片
Ｂ…ポケット
Ｐ…ピッチ
１０…バッグ組体
１２…上部開口
１４…底面
１６…バッグ本体
１８…第１の付属バッグ
２０…第１の取り付け機構
２２…バッグ本体１６の外周面
２２ａ…外周面２２の一面
２４…離間部
２６…第１の取り付け部材
２８  …第１の付属バッグ１８の外周面
２８ａ…外周面２８の一面
３０…第２の取り付け部材
３２…第２の付属バッグ
３４…第２の取り付け機構
３６…第２の付属バッグ３２の外周面
３６ａ…外周面３６の一面
３８…第３の取り付け部材
４０…第３の付属バッグ
４２…第１の線ファスナ
４４…第１の務歯
４６…第２の務歯
４８…第１のスライダ
５０…蓋部材
５２…第２の線ファスナ
５４…第３の務歯
５６…第４の務歯
５８…第２のスライダ
６０…第４の付属バッグ
６２…第３の線ファスナ
６４…第５の務歯
６６…第６の務歯
６８…第３のスライダ
７０…底部材
７２…第４の線ファスナ
７４…第７の務歯
７６…第８の務歯
７８…第４のスライダ
８０…キャスタ